(57)【要約】【課題】騒音の問題を生じさせることなく、確実に清浄効率を向上させる。【解決手段】シロッコファン２７は、円環状をなすベース２９と、ベース２９と直交方向に突出する複数の羽根部３０と、ベース２９の中心に位置するモータ２８への取付部３１と、ベース２９と取付部３１とを連結する連結部３２とからなる構成とし、隔壁９を、内壁部１０と外壁部１２とからなる二重壁で構成するとともに、これら壁部１０，１２間に位置するように仕切壁３に貫通孔１６を設け、通気孔１５を通過してシロッコファン２７が前側から吸引する第１空気流路Ｒ１と、貫通孔１６および内外壁部１０，１２間を通過してシロッコファン２７が後側から吸引する第２空気流路Ｒ２とを形成する。【選択図】図１
2005114286.tif 000002
【特許請求の範囲】
【請求項１】
本体内部を仕切壁によって前側のフィルタ配設部と後側のファン配設部とに区画し、前記仕切壁に、ファン配設部内に突出してインボリュート通路を構成する隔壁を設けるとともに該隔壁内に位置するように通気孔を設け、前記フィルタ配設部にフィルタを配設するとともに、前記ファン配設部の隔壁内に駆動手段によって回転可能に支持されるシロッコファンを配設した空気清浄機において、
前記シロッコファンは、円環状をなすベースと、該ベースと直交方向に突出する複数の羽根部と、前記ベースの中心に位置する前記モータへの取付部と、前記ベースと取付部とを連結する連結部とからなる構成とし、
前記隔壁を、内壁部と外壁部とからなる二重壁で構成するとともに、これら壁部間に位置するように前記仕切壁に貫通孔を設け、
前記通気孔を通過してシロッコファンが前側から吸引する第１空気流路と、前記貫通孔および内外壁部間を通過してシロッコファンが後側から吸引する第２空気流路とを形成したことを特徴とする空気清浄機。
【請求項２】
前記隔壁は、前記内壁部が前記仕切壁から一体に突設され、前記外壁部が仕切壁に対して一体に固定される別部材で構成されることを特徴とする請求項１に記載の空気清浄機。
【請求項３】
前記本体は、前記仕切壁を備えた本体ケースと、該本体ケースの前面に取り付けた前面カバーと、前記本体ケースの後面に取り付けた後面カバーとからなり、
前記隔壁は、前記内壁部が前記仕切壁から一体に突設され、前記外壁部が前記後面カバーに一体に突設されていることを特徴とする請求項１に記載の空気清浄機。
【請求項４】
前記本体は、前記仕切壁を備えた本体ケースと、該本体ケースの前面に取り付けた前面カバーと、前記本体ケースの後面に取り付けた後面カバーとからなり、
前記隔壁は、前記内壁部が仕切壁に対して一体に固定される別部材で構成され、前記外壁部が前記後面カバーに一体に突設されていることを特徴とする請求項１に記載の空気清浄機。
【請求項５】
前記仕切壁に、前記隔壁の外側に位置する貫通孔を更に設けたことを特徴とする請求項１乃至請求項４のいずれか１項に記載の空気清浄機。
【請求項６】
前記仕切壁に対して平行に延びるように前記インボリュート通路内を区画する区画板を設けたことを特徴とする請求項１乃至請求項５のいずれか１項に記載の空気清浄機。
【請求項７】
前記仕切壁に対して直交方向に延びるように前記インボリュート通路内を区画する区画板を設けたことを特徴とする請求項１乃至請求項６のいずれか１項に記載の空気清浄機。
【発明の詳細な説明】
【技術分野】
【０００１】
本発明は、空気清浄機に関するものである。
【背景技術】
【０００２】
本発明の空気清浄機に関連する先行技術文献情報としては次のものがある。
【０００３】
【特許文献１】特許第２６４６７９０号公報
【０００４】
この種の空気清浄機は、本体内部が仕切壁によって前側のフィルタ配設部と後側のファン配設部とに区画されている。前記仕切壁には、ファン配設部内に突出してインボリュート通路を構成する隔壁が設けられるとともに、該隔壁内に位置するように多数の通気孔が設けられている。そして、前記ファン配設部内に配設したシロッコファンを動作させると、該ファンの吸引力によって、室内の空気がフィルタ配設部に配設したフィルタを通過して清浄され、その清浄空気が通気孔を通過して室内に循環供給される。
【０００５】
このような空気清浄機では、フィルタの略全面を通過した空気が通気孔に集中するように流動するため、流体抵抗が大きく、空気の清浄効率を低下させるという問題がある。そして、清浄効率を向上するには、前記ファンの回転数を増加する必要がある。しかし、ファンの回転数を増加した場合には、インボリュート通路を構成する上側のトング部に粗密な流れの衝突が発生し、これが原因となって流れの圧力変動を引き起こすうえ、騒音を発生させるという問題がある。
【０００６】
そこで、特許文献１の空気清浄機では、インボリュート通路を構成する隔壁を、内ガイド壁と外ガイド壁とからなる二重壁で構成し、前記トング部に内外ガイド壁間の空間に連通する流入口を設けるとともに、インボリュート通路の出口の部位に排出口を設けた構成としている。
【発明の開示】
【発明が解決しようとする課題】
【０００７】
前記空気清浄機では、インボリュート通路を単一の壁によって構成した空気清浄機と比較すると、ファンの回転数を上げることによる騒音の発生は抑制できるが、やはりフィルタ配設部からファン配設部への流体抵抗は依然として改善されていないため、ファンの回転数を上げるのも限界がある。そのため、ファンの回転数を上げ過ぎるとやはり騒音が発生するという問題がある。
【０００８】
そこで、本発明では、騒音の問題を生じさせることなく、確実に清浄効率を向上させることができる空気清浄機を提供することを課題とするものである。
【課題を解決するための手段】
【０００９】
前記課題を解決するため、本発明の空気清浄機は、本体内部を仕切壁によって前側のフィルタ配設部と後側のファン配設部とに区画し、前記仕切壁に、ファン配設部内に突出してインボリュート通路を構成する隔壁を設けるとともに該隔壁内に位置するように通気孔を設け、前記フィルタ配設部にフィルタを配設するとともに、前記ファン配設部の隔壁内に駆動手段によって回転可能に支持されるシロッコファンを配設した空気清浄機において、前記シロッコファンは、円環状をなすベースと、該ベースと直交方向に突出する複数の羽根部と、前記ベースの中心に位置する前記モータへの取付部と、前記ベースと取付部とを連結する連結部とからなる構成とし、前記隔壁を、内壁部と外壁部とからなる二重壁で構成するとともに、これら壁部間に位置するように前記仕切壁に貫通孔を設け、前記通気孔を通過してシロッコファンが前側から吸引する第１空気流路と、前記貫通孔および内外壁部間を通過してシロッコファンが後側から吸引する第２空気流路とを形成した構成としている。
【００１０】
この空気清浄機では、前記隔壁は、前記内壁部が前記仕切壁から一体に突設され、前記外壁部が仕切壁に対して一体に固定される別部材で構成されることが好ましい。
【００１１】
または、前記本体は、前記仕切壁を備えた本体ケースと、該本体ケースの前面に取り付けた前面カバーと、前記本体ケースの後面に取り付けた後面カバーとからなり、前記隔壁は、前記内壁部が前記仕切壁から一体に突設され、前記外壁部が前記後面カバーに一体に突設されていることが好ましい。
【００１２】
または、前記本体は、前記仕切壁を備えた本体ケースと、該本体ケースの前面に取り付けた前面カバーと、前記本体ケースの後面に取り付けた後面カバーとからなり、前記隔壁は、前記内壁部が仕切壁に対して一体に固定される別部材で構成され、前記外壁部が前記後面カバーに一体に突設されていることが好ましい。
【００１３】
また、前記仕切壁に、前記隔壁の外側に位置する貫通孔を更に設けることが好ましい。
【００１４】
さらに、前記仕切壁に対して平行に延びるように前記インボリュート通路内を区画する区画板を設けることが好ましい。
【００１５】
さらにまた、前記仕切壁に対して直交方向に延びるように前記インボリュート通路内を区画する区画板を設けることが好ましい。
【００１６】
なお、この空気清浄機は、本体内部を仕切壁によって前側のフィルタ配設部と後側のファン配設部とに区画し、前記仕切壁に、ファン配設部内に突出してインボリュート通路を構成する隔壁を設けるとともに該隔壁内に位置するように通気孔を設け、前記フィルタ配設部にフィルタを配設するとともに、前記ファン配設部の隔壁内に駆動手段によって回転可能に支持されるファンを配設した空気清浄機において、前記隔壁内に位置するように、インボリュート通路を区画する区画板を設けた構成としてもよい。
【発明の効果】
【００１７】
本発明の空気清浄機では、インボリュート通路を構成する隔壁を二重壁としているため、該インボリュート通路内での流体の衝突による騒音を抑制できる。しかも、シロッコファンは、ベースと直交方向に突出する羽根部と、ベースと取付部とを連結する連結部とからなり、シロッコファンの軸方向に対して前後から内部に吸引可能な構成とし、前記二重壁からなる隔壁間に貫通孔を設け、通気孔を通過する第１空気流路とは別に、前記貫通孔および内外壁部間を通過する第２空気流路を形成している。そのため、フィルタ配設部からファン配設部へ流入する流体抵抗を大幅に低減することができ、その結果、空気の清浄効率を向上することができる。言い換えれば、流体抵抗を低減でき、清浄効率を向上できるため、従来の空気清浄機と同一の清浄効率を要求する場合には、ファンの回転数を下げることが可能になり、その結果、インボリュート通路内での騒音を確実に抑制できる。
【００１８】
また、前記内壁部を前記仕切壁から一体に突設し、前記外壁部を仕切壁に対して一体に固定される別部材で構成するため、または、前記外壁部を後面カバーに一体に突設する構成とするため、既存の空気清浄機にも比較的簡単に適用でき、その結果、安価に実施することができる。
【００１９】
さらに、隔壁の外側に位置する貫通孔を仕切壁に更に設けているため、流体抵抗を一層低減し、清浄効率を更に向上できる。その結果、インボリュート通路内での騒音の発生をより確実に抑制できる。
【００２０】
さらにまた、仕切壁に対して平行に延びるようにインボリュート通路内を区画する区画板を設けているため、ファンのブレや歪み等によるインボリュート通路内での前後方向の空気流動を抑制できる。その結果、インボリュート通路内での騒音の発生を防止できる。
【００２１】
さらに、仕切壁に対して垂直に延びるようにインボリュート通路内を区画する区画板を設けているため、インボリュート通路内での空気流動を抑制できる。その結果、ファンのブレや歪み等によって生じるインボリュート通路内での騒音の発生を確実に防止できる。そのうえ、インボリュート通路の出口である排出口から循環供給される清浄空気の偏りを抑制できる。
【発明を実施するための最良の形態】
【００２２】
以下、本発明の実施の形態を図面に従って説明する。
【００２３】
図１は、本発明の第１実施形態に係る空気清浄機を示す。この空気清浄機は、大略、本体１と、シロッコファン２７と、フィルタ３５とからなる。
【００２４】
前記本体１は、大略、本体ケース２と、前面カバー２１と、後面カバー２３と、上面カバー２４とからなり、これらは全て合成樹脂によって形成されている。
【００２５】
前記本体ケース２は、図１および図２（Ａ），（Ｂ）に示すように、仕切壁３と、該仕切壁３の下端に一体成形された台座４を備えた矩形状の箱体からなる。前記仕切壁３は、本体１内を前側のフィルタ配設部５と後側のファン配設部７とに区画している。前記フィルタ配設部５には、フィルタ３５を取り付けるための凹部６が形成されている。この凹部６は、外周縁とシロッコファン２７のモータ２８の部分を除いてフィルタ３５が仕切壁３と所定間隔をもって位置するように構成されている。また、ファン配設部７には、該フィルタ配設部５内である後方に突出し、清浄した空気を室内に循環供給するためのインボリュート通路８を構成する隔壁９が設けられている。
【００２６】
本実施形態では、隔壁９は、並行に配設された内壁部１０と外壁部１２とからなる二重壁で構成されている。具体的には、内壁部１０は、前記仕切壁３から一体に突設された上端開口の渦巻き状のものである。外壁部１２は、本体ケース２とは別部材で形成され、前記内壁部１０の先端にネジ止めして固定することにより、後述するシロッコファン２７の背部を覆う閉塞部材１１に一体に形成されている。この閉塞部材１１には、組付状態で内壁部１０と外壁部１２との間に位置するように複数の貫通孔１３が設けられるとともに、後述するシロッコファン２７と軸と同軸の空気流通口１４が形成されている。なお、この閉塞部材１１と本体ケース２との取付構造は、係止爪と係止孔によるものでもよく、種々の変形が可能である。このように、隔壁９を構成する内壁部１０を仕切壁３から一体に突設し、外壁部１２を仕切壁３に対して一体に固定される別部材で構成することににより、既存の空気清浄機の大幅な設計変更を不要とし、比較的簡単に適用できるため、安価に実施することが可能である。
【００２７】
そして、仕切壁３には、前記内壁部１０内に位置するように、複数の通気孔１５が形成されるとともに、前記内壁部１０と外壁部１２との間に位置するように複数の貫通孔１６が設けられている。これにより、本体１内には、シロッコファン２７を動作させると、前記通気孔１５を通過して前側から吸引される第１空気流路Ｒ１と、前記貫通孔１６，１３および内外壁部１０，１２間を通過して後側から吸引される第２空気流路Ｒ２とが形成されるように構成している。また、隔壁９は、内壁部１０の上端のみが清浄した空気を室内に循環供給する空気排出口１７を構成する。
【００２８】
また、本実施形態では、前記インボリュート通路８内を区画する区画板１８が設けられている。この区画板１８は、前記仕切壁３と平行に延びる水平部１９と、前記仕切壁３に対して直交方向に延びる垂直部２０とからなる断面略＋字形状のものである。前記水平部１９は、インボリュート通路の空気排出口１７の側において、前後方向の略中央を上端から下端にかけて設けた略Ｊ字形状のものである。前記垂直部２０は、前記水平部１９において、垂直に延びる上側部分の略中央を直交するように延び、その前端が仕切壁３と一体に連続するとともに、後端が前記閉塞部材１１に当接するように形成されている。なお、この区画板１８は、本体ケース２と別部材により構成し、ネジ止めや周知の取付手段によって固着してもよい。
【００２９】
前記前面カバー２１は、図１および図３に示すように、前記本体ケース２の前面に周知の取付構造によって着脱可能に取り付けられている。この前面カバー２１には、空気を通すための多数のスリット２２が水平方向に延びるように設けられている。
【００３０】
前記後面カバー２３は、図１に示すように、前記本体ケース２の後面にネジ止めによって固定される周知のものである。
【００３１】
前記上面カバー２４は、図３に示すように、前記本体ケース２のインボリュート通路８の空気排出口１７と一致する格子状に区画された空気排出口２５が設けられるとともに、操作パネル２６を配設したものである。
【００３２】
図１および図４（Ａ），（Ｂ）に示すように、シロッコファン２７は、駆動手段であるモータ２８により図中時計回りに回転されるもので、円環状をなすベース２９と、該ベース２９と直交する方向に突出する複数の羽根部３０と、前記ベース２９の中心に位置するモータ２８への取付部３１と、前記ベース２９と取付部３１とを連結する連結部３２とからなる。また、羽根部３０の下端はリング状のフランジ部３３により連結されている。そのうち、前記連結部３２は、図４（Ｂ）に示すように、回転方向に沿って上向きに傾斜さした形状をなし、その回転方向後側に上向きに突出するリブ３４が設けられている。
【００３３】
このように構成したシロッコファン２７は、前記モータ２８によって回転されると、羽根部３０によってその内部の空間に位置する空気を直径方向外向きに送出する。これにより、主に広く開口した下端から空気が羽根部３０により囲まれた空間内に流入する。また、連結部３２および該連結部３２に設けたリブ３４によってベース２９の軸方向外側に位置する空気を掻き切ることにより、その外部の空気を前記羽根部３０で囲まれた内部に向けて送風する。即ち、この連結部３２は、ベース２９と取付部３１とを連結する目的のみならず、第２の羽根部の役割をなす。そのため、図１における羽根部３０の突出方向の両側（前後両側）から空気を内部に流入させ、その空気を空気排出口１７に向けて送出できる。
【００３４】
前記フィルタ３５は、０．３μｍの微粒子に対して９９．９７％以上の初期集塵効率を備えたＨＥＰＡ（High Efficiency Particulate Air)フィルタを波状に蛇腹折りするとともに、その外周に補強枠を設け、前記インボリュート通路８の占有面積より大きい矩形状に形成した周知のものである。
【００３５】
前記空気清浄機は、マイコンを実装した制御基板を備え、ユーザの操作パネル２６の操作に従って、「静音」運転、該「静音」運転よりモータ２８の回転速度が速い「中」風運転、該「中」風運転よりモータ２８の回転速度が速い「強」風運転、および、「自動」運転のいずれかを実行するものである。
【００３６】
本実施形態では、「静音」運転を実行する場合には、シロッコファン２７のモータ２８のタップ出力により運転し、他の「中」風運転および「強」風運転は、他の異なるタップ出力で位相制御することにより動作される構成としている。これにより、「静音」運転を実行する際には確実にモータ２８の動作音を小さくできる。また、「静音」用のタップとは別のタップは、位相制御により「中」，「強」風運転を実行するため、制御基板の小型化およびコストダウンを図ることができる。なお、各タップ出力毎に複数の位相制御出力を設けて他段階で風量調節できるようにしてもよい。
【００３７】
また、本実施形態では、本体１の下部にダストセンサが配設されるとともに、本体１の上部にガスセンサおよび湿度センサが配設されている。そして、「自動」運転が選択された場合には、ダストセンサおよびガスセンサの検出値に応じて予め設定された風量でシロッコファン２７のモータ２８を動作させる。また、ダストセンサおよびガスセンサによる検出値が低く、シロッコファン２７を動作させる必要がないと判断した状態では、所定時間毎に湿度センサによって室内の湿度を検出する。そして、予め設定したしきい値より湿度が低い（乾燥状態）場合、所定時間（１分間）「中」風運転を実行し、ダストセンサによって粉塵による汚染レベルを検出する一方、しきい値より湿度が高い場合、そのまま待機する。また、シロッコファン２７およびダストセンサを動作させ、ダストセンサによる検出値が所定の汚染レベルを越えている場合には、その汚染レベルに応じた風量でシロッコファン２７を動作させる一方、検出値が所定の汚染レベルを越えていない場合には、そのまま待機する。これにより、粉塵が舞い上がりやすい乾燥状態で、かつ、ダストセンサで汚染レベルを検出し難い無風状態での空気清浄の効率化を図っている。
【００３８】
前記構成の空気清浄機では、商用電源に接続して空気清浄動作を開始すると、シロッコファン２７が回転し、空気清浄機の前方の空気は、前面カバー２１のスリット２２から空気清浄機内部に吸引される。この前方から吸引された空気は、フィルタ３５を通過することにより清浄され、フィルタ配設部５の凹部６内に至る。
【００３９】
そして、この凹部６内に流入した清浄空気は、主に仕切壁３の通気孔１５を通してシロッコファン２７の前側（図４（Ａ）では下側）から羽根部３０で囲まれた内部に吸引される。
【００４０】
また、フィルタ３５の外周部を通過して凹部６の外周部に位置する清浄空気は、仕切壁３の貫通孔１６を通過し、隔壁９を構成する内壁部１０と外壁部１２との間を通り、閉塞部材１１の貫通孔１３を通して閉塞部材１１と後面カバー２３との間に至る。そして、羽根部３０および連結部３２による吸引作用で、隣接する連結部３２の間を通ってシロッコファン２７の後側（図４（Ａ）では上側）から羽根部３０で囲まれた内部に吸引される。
【００４１】
このようにしてシロッコファン２７の内部に吸引された清浄空気は、インボリュート通路８を通って上面カバー２４の空気排出口２５から空気清浄機の外部、即ち、室内に循環供給される。
【００４２】
このように、本発明では、シロッコファン２７は、ベース２９と直交方向に突出する羽根部３０と、ベース２９と取付部３１とを連結する連結部３２とからなり、シロッコファン２７の軸方向の前後から空気を内部に吸引可能な構成としているため、吸引する風量および循環供給する風量を増加することができる。具体的には、従来の同じ直径のシロッコファン２７を搭載した空気清浄機と比較すると、約１．５倍〜２倍の大きな風量を得ることができる。その結果、大きな風量を得るためにモータ２８やシロッコファン２７を大容量のものを使用する必要はない。
【００４３】
そして、二重壁からなる隔壁９の間に位置するように貫通孔１６を設け、通気孔１５を通過する第１空気流路Ｒ１とは別に、貫通孔１６および内外壁部１０，１２間を通過する第２空気流路Ｒ２を形成している。そのため、フィルタ配設部５からファン配設部７へ流入する流体抵抗を大幅に低減することができ、その結果、空気の清浄効率を向上することができる。言い換えれば、流体抵抗を低減でき、清浄効率を向上できるため、従来の空気清浄機と同一の清浄効率を要求する場合には、ファン２７の回転数を下げることが可能になり、その結果、インボリュート通路８内での騒音を確実に抑制および消音できる。
【００４４】
しかも、本実施形態では、インボリュート通路８を構成する隔壁９を二重壁としているため、該インボリュート通路８内での流体の衝突による騒音を抑制できる。
【００４５】
ここで、この種の空気清浄機において、インボリュート通路８内で発生する騒音の１つの原因として、図５に示すように、シロッコファン２７のブレや歪み等によるものが考えられている。即ち、モータ２８の出力軸に対するシロッコファン２７のブレや歪み、および、インボリュート通路８内へのシロッコファン２７のブレや歪み等の原因で、モータ２８の出力軸が確実に前後方向に延びず、シロッコファン２７が水平方向から若干傾いた状態で取り付けられることがある。この場合、シロッコファン２７から放出される清浄空気は、隔壁９に対して直交方向に衝突するのではなく、傾斜することになる。その結果、インボリュート通路８内では、清浄空気が前後方向に流動するため、騒音が発生する原因となる。
【００４６】
しかし、本実施形態では、仕切壁３に対して平行に延びる水平部１９を備えた区画板１８をインボリュート通路８内に設けているため、このようなファン２７のブレや歪み等によるインボリュート通路８内での前後方向の空気流動を抑制できる。その結果、インボリュート通路８内での騒音の発生を防止できる。また、仕切壁３に対して垂直に延びる垂直部２０を備えた区画板１８を設けているため、インボリュート通路８内での水平方向（図５では左右方向）の空気流動を抑制できる。その結果、インボリュート通路８内での騒音の発生を更に確実に防止できるうえ、インボリュート通路８の出口である空気排出口１７から循環供給される清浄空気の偏りを抑制し、広角に分散した供給を行うことが可能となる。
【００４７】
図６は第２実施形態の空気清浄機を示す。この第２実施形態では、閉塞部材１１の代わりに後面カバー２３に一体に外壁部１２を設け、閉塞部材１１には貫通孔１３を設けない構成とした点で第１実施形態と相違している。この第２実施形態の空気清浄機では、第１実施形態と同様の作用および効果を得ることができる。しかも、この第２実施形態では、外壁部１２を後面カバー２３から突設することにより、第２空気流路Ｒ２は完全に覆われた状態をなす。そのため、清浄空気を確実にシロッコファン２７に案内することが可能になり、更に清浄効率を向上することができる。
【００４８】
図７は第３実施形態の空気清浄機を示す。この第３実施形態では、隔壁９を構成する内壁部１０および外壁部１２の両方を仕切壁３を備えた本体ケース２とは別部材により構成した点で第１実施形態と相違している。具体的には、内壁部１０は、シロッコファン２７の後面を覆う閉塞部材１１に一体に形成され、仕切壁３に対してネジ止めなどの所定の取付手段によって固着されている。また、外壁部１２は、第２実施形態と同様に後面カバー２３に一体に形成されている。このように構成した第３実施形態では、第１実施形態および第２実施形態と同様の作用および効果を得ることができる。
【００４９】
図８は第４実施形態の空気清浄機を示す。この第４実施形態では、内壁部１０および外壁部１２からなる隔壁９の外側に位置するように貫通孔３６を所定間隔をもって更に設けた点でのみ、第１実施形態と相違している。この第４実施形態の空気清浄機では、第１実施形態と同様の作用および効果を得ることができるうえ、インボリュート通路８内に流入する清浄空気の流体抵抗を更に低減することができる。その結果、空気の清浄効率を更に向上できるうえ、インボリュート通路８内での騒音の発生をより確実に抑制できる。
【００５０】
なお、本発明の空気清浄機は、前記実施形態の構成に限定されるものではなく、種々の変更が可能である。
【００５１】
例えば、隔壁９を構成する内壁部１０および外壁部１２は、両方を仕切壁３に一体に設けてもよい。また、両方を後面カバー２３に一体に設けてもよい。また、外壁部１２を仕切壁３に一体に設け、内壁部１０を閉塞部材１１などの別部材または後面カバー２３に一体に設けてもよい。なお、内壁部１０を後面カバー２３に一体に形成する場合には、該内壁部１０に内部に連通する連通孔を設ける必要がある。このように、隔壁９の内壁部１０および外壁部１２を形成する構成は希望に応じて種々の変形が可能である。
【００５２】
また、各実施形態では、閉塞部材１１は、シロッコファン２７の背部を覆うように構成したが、図９に示すように、シロッコファン２７の背部と面一に位置させ、外周部を覆うように構成してもよい。このようにすれば、空気清浄機の前後方向の厚さを低減できる。
【図面の簡単な説明】
【００５３】
【図１】本発明の第１実施形態に係る空気清浄機を示す断面図である。
【図２】本体ケースを示し、（Ａ）は正面図、（Ｂ）は背面図である。
【図３】空気清浄機の斜視図である。
【図４】（Ａ）はシロッコファンの斜視図、（Ｂ）は（Ａ）の要部断面図である。
【図５】シロッコファンにブレや歪み等が生じた状態を示す断面図である。
【図６】第２実施形態の空気清浄機を示す断面図である。
【図７】第３実施形態の空気清浄機を示す断面図である。
【図８】第４実施形態の空気清浄機を示す断面図である。
【図９】空気清浄機を変形例示す断面図である。
【符号の説明】
【００５４】
１…本体、２…本体ケース、３…仕切壁、５…フィルタ配設部、７…ファン配設部、８…インボリュート通路、９…隔壁、１０…内壁部、１１…閉塞部材、１２…外壁部、１５…通気孔、１６…貫通孔、１８…区画板、２１…前面カバー、２３…後面カバー、２４…上面カバー、２７…シロッコファン、２８…モータ、２９…ベース、３０…羽根部、３１…取付部、３２…連結部、３５…フィルタ、Ｒ１…第１空気流路、Ｒ２…第２空気流路。
【図１】
2005114286.tif 000003
【図２】
2005114286.tif 000004
【図３】
2005114286.tif 000005
【図４】
2005114286.tif 000006
【図５】
2005114286.tif 000007
【図６】
2005114286.tif 000008
【図７】
2005114286.tif 000009
【図８】
2005114286.tif 000010
【図９】
2005114286.tif 000011